(57)【要約】【課題】エレベータが油圧式エレベータからロープ式エレベータに改修される際に支持柱の強度を向上することができるエレベータの支持柱補強装置等を提供する。【解決手段】支持柱補強装置等は、エレベータが支持柱で油圧プランジャのレールを支持した油圧式エレベータから前記支持柱で釣合オモリのレールを支持したロープ式エレベータに改修された際に前記支持柱に接触した状態で前記支持柱を挟み込んだ一対の第１補強体と、前記一対の第１補強体の上方において水平投影面上で前記一対の第１補強体の並び方向と直交する方向に並び、前記一対の第１補強体に連結され、前記柱に接触した状態で前記支持柱を挟み込んだ一対の第２補強体と、を備えた。【選択図】図１
2016011174.tif 000002
【特許請求の範囲】
【請求項１】
エレベータが支持柱で油圧プランジャのレールを支持した油圧式エレベータから前記支持柱で釣合オモリのレールを支持したロープ式エレベータに改修された際に前記支持柱に接触した状態で前記支持柱を挟み込んだ一対の第１補強体と、
前記一対の第１補強体の上方において水平投影面上で前記一対の第１補強体の並び方向と直交する方向に並び、前記一対の第１補強体に連結され、前記支持柱に接触した状態で前記支持柱を挟み込んだ一対の第２補強体と、
を備えたエレベータの支持柱補強装置。
【請求項２】
前記一対の第１補強体と前記一対の第２補強体とは、鉛直方向に交互に並ぶように複数段積み上げられ、
隣接した一対の第１補強体と一対の第２補強体とは、互いに連結された請求項１に記載のエレベータの支持柱補強装置。
【請求項３】
前記一対の第１補強体と前記一対の第２補強体とは、積み上げられた位置により異なる高さに設定された請求項２に記載のエレベータの支持柱補強装置。
【請求項４】
前記一対の第１補強体と前記一対の第２補強体とは、互いの対向部に切り込みを有し、互いの切り込みが噛み合わされることにより溶接を用いることなく連結された請求項２または請求項３に記載のエレベータの支持柱補強装置。
【請求項５】
前記一対の第１補強体の切り込みと前記一対の補強体の切り込みのうちの上方に開口した切り込みに打ち込まれたくさび、
を備えた請求項４に記載のエレベータの支持柱補強装置。
【請求項６】
前記一対の第１補強体の切り込みと前記一対の第２補強体の切り込みとは、下方に行くにつれて前記支持柱に近付いた請求項４または請求項５に記載のエレベータの支持柱補強装置。
【請求項７】
互いに連結された第１補強体と第２補強体とに接合された接合材、
を請求項１から請求項６のいずれか一項に記載のエレベータの支持柱補強装置。
【請求項８】
前記一対の第１補強体および前記一対の第２補強体のうちの少なくとも一つの補強体に設けられ、前記釣合オモリのレールを支持したレール支持装置、
を備えた請求項１から請求項７のいずれか一項に記載のエレベータの支持柱補強装置。
【請求項９】
前記一対の第１補強体は、前記支持柱が対となって設けられている際に対となった支持柱に接触した状態で対となった支持柱を挟み込んだ請求項１から請求項８のいずれか一項に記載のエレベータの支持柱補強装置。
【請求項１０】
前記一対の第１補強体は、前記支持柱が対となって設けられている際に対となった支持柱の各々に対応して設けられた請求項１から請求項８のいずれか一項に記載のエレベータの支持柱補強装置。
【請求項１１】
エレベータが支持柱で油圧プランジャのレールを支持した油圧式エレベータから前記支持柱で釣合オモリのレールを支持したロープ式エレベータに改修された際に一対の第１補強体を前記支持柱に接触させることにより前記支持柱を挟み込む第１補強工程と、
前記一対の第１補強体の上方において水平投影面上で前記一対の第１補強体の並び方向と直交する方向に一対の第２補強体を並べ、前記一対の第２補強体を前記一対の第１補強体に連結し、前記一対の第２補強体を前記支持柱に接触させることにより前記支持柱を挟み込む第２補強工程と、
を備えたエレベータの支持柱補強方法。
【請求項１２】
前記第１補強工程と前記第２補強工程とは、前記一対の第１補強体と前記一対の第２補強体が鉛直方向に交互に並んで複数段積み上げられた際に、隣接した一対の第１補強体と一対の第２補強体とが互いに連結するように行われる請求項１１に記載のエレベータの支持柱補強方法。
【請求項１３】
前記第１補強工程と前記第２補強工程とは、前記一対の第１補強体と前記一対の第２補強体とが積み上げられた位置により異なる高さとなるように行われる請求項１２に記載のエレベータの支持柱補強方法。
【請求項１４】
前記第１補強工程と前記第２補強工程とは、前記一対の第１補強体と前記一対の第２補強体との互いの対向部に形成された切り込みを噛み合わせることにより溶接を用いることなく前記一対の第１補強体と前記一対の第２補強体とを連結するように行われる請求項１２または請求項１３に記載のエレベータの支持柱補強方法。
【請求項１５】
前記一対の第１補強体の切り込みと前記一対の補強体の切り込みのうちの上方に開口した切り込みにくさびを打ち込む工程を備えた請求項１４に記載のエレベータの支持柱補強方法。
【請求項１６】
前記第１補強工程と前記第２補強工程とは、前記一対の第１補強体の切り込みと前記一対の第２補強体の切り込みが下方に行くにつれて前記支持柱に近付いている際に前記一対の第１補強体と前記一対の第２補強体との互いの対向部に形成された切り込みを噛み合わせることにより前記一対の第１補強体と前記一対の第２補強体とを前記支持柱に密着させるように行われる請求項１４または請求項１５に記載のエレベータの支持柱補強方法。
【請求項１７】
互いに連結された第１補強体と第２補強体とを接合材で接合する工程を備えた請求項１１から請求項１６のいずれか一項に記載のエレベータの支持柱補強方法。
【請求項１８】
前記第１補強工程および前記第２補強工程とは、前記一対の第１補強体および前記一対の第２補強体のうちの少なくとも一つに釣合いオモリのレールを支持するレール支持装置が設けられている補強体に対して行われる請求項１１から請求項１７のいずれか一項に記載のエレベータの支持柱補強方法。
【請求項１９】
前記第１補強工程は、前記支持柱が対となって設けられている際に前記一対の第１補強体で対となった支持柱に接触させることにより対となった支持柱を挟み込むように行われる請求項１１から請求項１８のいずれか一項に記載のエレベータの支持柱補強方法。
【請求項２０】
前記第１補強工程は、前記支持柱が対となって設けられている際に支持柱の各々に対応して別々に行われる請求項１１から請求項１８のいずれか一項に記載のエレベータの支持柱補強方法。
【発明の詳細な説明】
【技術分野】
【０００１】
この発明は、エレベータの支持柱補強装置および支持柱補強方法に関する。
【背景技術】
【０００２】
特許文献１は、油圧式エレベータをロープ式エレベータに改修する方法を開示する。当該方法によれば、改修費用を低減させることができる。
【先行技術文献】
【特許文献】
【０００３】
【特許文献１】特開２００７−３９２２４号公報
【発明の概要】
【発明が解決しようとする課題】
【０００４】
油圧式エレベータをロープ式エレベータに改修する際に、油圧プランジャのレールを支持した支持柱が釣合オモリのレールを支持する支持柱として流用される場合がある。この場合、釣合オモリのレールを支持するだけの強度が当該支持柱に要求される。
【０００５】
この発明は、上述の課題を解決するためになされた。この発明の目的は、エレベータが油圧式エレベータからロープ式エレベータに改修される際に支持柱の強度を向上することができるエレベータの支持柱補強装置および支持柱補強方法を提供することである。
【課題を解決するための手段】
【０００６】
この発明に係る支持柱補強装置は、エレベータが支持柱で油圧プランジャのレールを支持した油圧式エレベータから前記支持柱で釣合オモリのレールを支持したロープ式エレベータに改修された際に前記支持柱に接触した状態で前記支持柱を挟み込んだ一対の第１補強体と、前記一対の第１補強体の上方において水平投影面上で前記一対の第１補強体の並び方向と直交する方向に並び、前記一対の第１補強体に連結され、前記支持柱に接触した状態で前記支持柱を挟み込んだ一対の第２補強体と、を備えた。
【０００７】
この発明に係る支持柱補強方法は、エレベータが支持柱で油圧プランジャのレールを支持した油圧式エレベータから前記支持柱で釣合オモリのレールを支持したロープ式エレベータに改修された際に一対の第１補強体を前記支持柱に接触させることにより前記支持柱を挟み込む第１補強工程と、前記一対の第１補強体の上方において水平投影面上で前記一対の第１補強体の並び方向と直交する方向に一対の第２補強体を並べ、前記一対の第２補強体を前記一対の第１補強体に連結し、前記一対の第２補強体を前記支持柱に接触させることにより前記支持柱を挟み込む第２補強工程と、を備えた。
【発明の効果】
【０００８】
これらの発明によれば、支持柱は、一対の第１補強体と一対の第２補強体とで補強される。このため、エレベータが油圧式エレベータからロープ式エレベータに改修される際に支持柱の強度を向上することができる。
【図面の簡単な説明】
【０００９】
【図１】この発明の実施の形態１におけるエレベータの支持柱補強装置が利用されたエレベータの横断面図である。
【図２】この発明の実施の形態１におけるエレベータの支持柱補強装置の下部の拡大図である。
【図３】この発明の実施の形態１におけるエレベータの支持柱補強装置の斜視図である。
【図４】この発明の実施の形態１におけるエレベータの支持柱補強装置の斜視図である。
【図５】この発明の実施の形態２におけるエレベータの支持柱補強装置の要部の拡大図である。
【図６】この発明の実施の形態３におけるエレベータの支持柱補強装置の要部の斜視図である。
【図７】この発明の実施の形態４におけるエレベータの支持柱補強装置の要部の拡大図である。
【図８】この発明の実施の形態５におけるエレベータの支持柱補強装置が利用されたエレベータの横断面図である。
【発明を実施するための形態】
【００１０】
この発明を実施するための形態について添付の図面に従って説明する。なお、各図中、同一又は相当する部分には、同一の符号が付される。当該部分の重複説明は適宜に簡略化又は省略化される。
【００１１】
実施の形態１．
図１はこの発明の実施の形態１におけるエレベータの支持柱補強装置が利用されたエレベータの横断面図である。
【００１２】
図１のエレベータは、油圧式エレベータである。エレベータの昇降路１は、建築物の各階を貫く。昇降路１は、柔構造で形成される。エレベータの乗場２は、建築物の各階に設けられる。エレベータのかご３は、昇降路１の内部に設けられる。
【００１３】
一対の支持柱４は、鉄骨で形成される。一対の支持柱４は、かご３よりも昇降路１の奥側に設けられる。一対の支持柱４は、昇降路１の幅方向に沿って並んで設けられる。一対の支持柱４は、昇降路１の幅方向の中心よりも昇降路１の一側に寄って設けられる。図示しない油圧プランジャ用レールは、一対の支持柱４に支持される。図示しない油圧プランジャは、油圧プランジャ用レールに支持される。油圧プランジャは、油圧式エレベータの動作機構の一部となる。
【００１４】
エレベータが油圧式エレベータからロープ式エレベータに改修される際、一対の支持柱４は、流用される。この際、一対の支持柱４は、支持柱補強装置により補強される。
【００１５】
支持柱補強装置は、複数の第１補強体５と複数の第２補強体６とを備える。複数の第１補強体５は、板状の鋼で形成される。複数の第２補強体６は、板状の鋼で形成される。
【００１６】
一対の第１補強体５は、一対の支持柱４の手前側と奥側とに配置される。一対の第１補強体５は、一対の支持柱４に平面を接触させた状態で一対の支持柱４をまとめて挟み込む。
【００１７】
支持柱４の一方の側において、一対の第２補強体６は、一対の第１補強体５の上方において水平投影面上で一対の第１補強体５の並び方向と直交する方向に並ぶ。一対の第２補強体６は、一対の第１補強体５の一側に連結される。一対の第２補強体６は、支持柱４の一方に平面を接触した状態で支持柱４の一方を挟み込む。
【００１８】
支持柱４の他方の側において、一対の第２補強体６は、一対の第１補強体５の上方において水平投影面上で一対の第１補強体５の並び方向と直交する方向に並ぶ。一対の第２補強体６は、一対の第１補強体５の他側に連結される。一対の第２補強体６は、支持柱４の他方に平面を接触した状態で支持柱４の他方を挟み込む。
【００１９】
支持柱４の一方の周りにおいて、一対の第１補強体５と一対の第２補強体６とは、鉛直方向に交互に並ぶように複数段積み上げられる。支持柱４の他方の周りにおいて、一対の第１補強体５と一対の第２補強体６とは、鉛直方向に交互に並ぶように複数段積み上げられる。この際、隣接した第１補強体５と第２補強体６とは、互いに連結される。
【００２０】
次に、図２を用いて、支持柱補強装置の下部を説明する。
図２はこの発明の実施の形態１におけるエレベータの支持柱補強装置の下部の拡大図である。
【００２１】
図２に示すように、最下段の第１補強体５は、建築物の構造物と接触する。例えば、最下段の第１補強体５の下部は、固定材７を介して建築物の構造物に固定される。例えば、固定材７は、Ｌ字状に形成される。固定材７の上部は、第１補強体５の下部に固定される。固定材７の下部は、アンカーボルトにより建築物の構造物に固定される。この際、固定材７とアンカーボルトは、コンクリートにより埋め込まれる。例えば、最下段の第１補強体５の下部は、モルタルまたはコンクリートにより直接埋め込まれる。
【００２２】
次に、図３を用いて、支持柱補強装置の組立方法を説明する。
図３はこの発明の実施の形態１におけるエレベータの支持柱補強装置の斜視図である。
【００２３】
図３に示すように、隣接した第１補強体５と第２補強体６とは、互いの対向部に切り込みを有する。具体的には、第１補強体５は、上部と下部に切り込みを有する。第２補強体６は、上部と下部とに切り込みを有する。
【００２４】
隣接した第１補強体５と第２補強体６とは、互いの切り込みが噛み合わされることにより連結される。その結果、支持柱補強装置は、支持柱４を井桁状に囲んで補強する。
【００２５】
次に、図４を用いて、支持柱補強装置の詳細を説明する。
図４はこの発明の実施の形態１におけるエレベータの支持柱補強装置の斜視図である。
【００２６】
図４に示すように、第１補強体５と第２補強体６とは、複数種類用意される。第１補強体５の高さと第２補強体６の高さとは、種類に応じて異なる。例えば、第１補強体５の高さと第２補強体６の高さは、「大」、「中」、「小」に分類される。第１補強体５と第２補強体６とは、必要に応じて、積み上げられた位置により異なる高さに設定される。この際、同じ段で使われる一対の第１補強体５は、同じ高さのもので統一される。同じ段で使われる一対の第２補強体６は、同じ高さのもので統一される。
【００２７】
さらに、第１補強体５および第２補強体６の少なくとも一つは、レール支持装置８を備えることもある。レール支持装置８は、釣合オモリを支持するレールを支持する際に用いられる。
【００２８】
以上で説明した実施の形態１によれば、支持柱４は、一対の第１補強体５と一対の第２補強体６とで補強される。このため、エレベータが油圧式エレベータからロープ式エレベータに改修される際に支持柱４の強度を向上することができる。
【００２９】
この際、第１補強体５と第２補強体６とで占める領域は極めて小さい。このため、第１補強体５と第２補強体６とは、エレベータの他の機器と干渉しない。また、かご３を小さくする必要もない。
【００３０】
また、一対の第１補強体５と一対の第２補強体６は、複数段積み上げられる。このため、必要に応じて、支持柱４の補強強度を調節することができる。
【００３１】
また、第１補強体５と第２補強体６とは、積み上げられた位置により異なる高さに設定される。このため、必要に応じて、支持柱４の補強強度を調節することができる。
【００３２】
また、第１補強体５と第２補強体６とは、互いの切り込みが噛み合わされることにより連結される。このため、支持柱４の補強のために溶接等を用いる必要がない。このため、作業時において、火気を気にする必要がない。
【００３３】
また、第１補強体５および第２補強体６の少なくとも一つは、レール支持装置８を備えることもある。このため、エレベータが油圧式エレベータからロープ式エレベータに改修される際に釣合いオモリを支持するレールを確実に支持することができる。
【００３４】
また、一対の第１補強体５は、一対の支持柱４をまとめて挟み込む。このため、一対の支持柱４にかかる水平方向の荷重を分散させることができる。その結果、支持柱補強装置による補強効果をより高めることができる。
【００３５】
実施の形態２．
図５はこの発明の実施の形態２におけるエレベータの支持柱補強装置の要部の拡大図である。なお、実施の形態１の部分と同一又は相当部分には同一符号が付される。当該部分の説明は省略される。
【００３６】
実施の形態２において、第１補強体５の切り込みと第２切り込みとは、互いの噛み合わせに要する寸法よりもわずかに大きい寸法で形成される。その結果、第１補強体５の切り込みと第２切り込みとの噛み合わせ部分において、隙間が設けられる。当該隙間は、支持柱４の公差および支持柱４の経年劣化による歪みを許容する。
【００３７】
図５に示すように、支持柱補強装置は、くさび９を備える。くさび９は、第１補強体５の切り込みと第２補強体６の切り込みのうちの上方に開口した切り込みに上方から打ち込まれる。その結果、第１補強体５と第２補強体６との隙間がなくなる。
【００３８】
以上で説明した実施の形態２によれば、くさび９は、第１補強体５の切り込みと第２補強体６の切り込みのうちの上方に開口した切り込みに上方から打ち込まれる。その結果、第１補強体５および第２補強体６の支持柱４への密着度を増加させることができる。第１補強体５および第２補強体６の締結力を増加させることができる。
【００３９】
実施の形態３．
図６はこの発明の実施の形態３におけるエレベータの支持柱補強装置の要部の斜視図である。なお、実施の形態１の部分と同一又は相当部分には同一符号が付される。当該部分の説明は省略される。
【００４０】
実施の形態３の支持柱補強装置は、複数の接合材１０を備える。複数の接合材１０は、互いに連結された第１補強体５と第２補強体６とに接合される。例えば、複数の接合材１０は、ボルトを用いて第１補強体５と第２補強体６との噛み合わせ部に接合される。
【００４１】
以上で説明した実施の形態３によれば、複数の接合材１０は、互いに連結された第１補強体５と第２補強体６とに接合される。このため、第１補強体５と第２補強体６とをより確実に固定することができる。第１補強体５と第２補強体６とを支持柱４により確実に密着させることができる。
【００４２】
実施の形態４．
図７はこの発明の実施の形態４におけるエレベータの支持柱補強装置の要部の拡大図である。なお、実施の形態１の部分と同一又は相当部分には同一符号が付される。当該部分の説明は省略される。
【００４３】
実施の形態４においては、第１補強体５の切り込みと第２補強体６の切り込みとは、わずかに傾斜する。第１補強体５の切り込みと第２補強体６の切り込みとは、下方に行くにつれて支持柱４に近付く。
【００４４】
この場合、第２補強体６が第１補強体５の上方に積み上げられる際に第２補強体６の下部の切り込みが第１の上部の切り込みに噛み合わされると、第２補強体６は、支持柱４に密着する。第１補強体５が第２補強体６の上方に積み上げられる際に第１補強体５の下部の切り込みが第２の上部の切り込みに噛み合わされると、第１補強体５は、支持柱４に密着する。
【００４５】
以上で説明した実施の形態４によれば、第１補強体５の切り込みと第２補強体６の切り込みとは、下方に行くにつれて支持柱４に近付く。このため、支持柱４の公差および支持柱４の経年劣化による歪みがある場合でも、第１補強体５と第２補強体６とは、積み上げられる際に支持柱４に密着する。
【００４６】
実施の形態５．
図８はこの発明の実施の形態５におけるエレベータの支持柱補強装置が利用されたエレベータの横断面図である。なお、実施の形態１の部分と同一又は相当部分には同一符号が付される。当該部分の説明は省略される。
【００４７】
実施の形態１において、一対の支持柱４は、昇降路１の幅方向に沿って設けられる。一方、実施の形態５において、一対の支持柱４は、昇降路１の幅方向に沿わないで設けられる。
【００４８】
実施の形態５において、一対の第１補強体５は、支持柱４の各々に対応して設けられる。一対の第１補強体５は、支持柱４の各々を井桁状に囲む。
【００４９】
以上で説明した実施の形態５によれば、一対の第１補強体５は、支持柱４の各々に対応して設けられる。このため、一対の支持柱４の配置に関係なく、支持柱４の各々を別々に確実に補強することができる。また、障害物が一対の支持柱４の間に存在する場合でも、支持柱４の各々を別々に確実に補強することができる。
【符号の説明】
【００５０】
１  昇降路、  ２  乗場、  ３  かご、  ４  支持柱、  ５  第１補強体、  ６  第２補強体、  ７  固定材、  ８  レール支持装置、  ９  くさび、  １０  接合材
【図１】
2016011174.tif 000003
【図２】
2016011174.tif 000004
【図３】
2016011174.tif 000005
【図４】
2016011174.tif 000006
【図５】
2016011174.tif 000007
【図６】
2016011174.tif 000008
【図７】
2016011174.tif 000009
【図８】
2016011174.tif 000010